【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
放射線を発生する放射線発生手段と、
前記放射線発生手段に対して放射線の照射を要求する撮影ボタンと、
前記放射線に基づく散乱線の影響を減少するグリッドと、
前記グリッドを移動するグリッド移動手段と、
複数の撮像素子から構成され、前記グリッドを透過した放射線を電気信号に変換するセンサと、
前記放射線発生手段及び前記グリッド移動手段及び前記センサを制御する制御手段とを備え、
前記制御手段は、前記撮影ボタンにより放射線の発生が要求されたときに基づき、前記放射線の照射を開始する時間、前記グリッドの移動を開始する時間、前記複数の撮像素子における電荷蓄積を開始する時間を定めることを特徴とする撮影装置。
【請求項２】
前記制御手段は、前記撮影ボタンから放射線の発生を要求する信号が入力された時に基づき、前記放射線の照射を開始する時間、前記グリッドの移動を開始する時間、前記複数の撮像素子における電荷蓄積を開始する時間を定めることを特徴とする請求項１記載の撮影装置。
【請求項３】
放射線を発生する放射線発生手段と、
前記放射線発生手段に対して放射線の照射を要求する撮影ボタンと、
前記放射線に基づく散乱線の影響を減少するグリッドと、
前記グリッドを移動するグリッド移動手段と、
複数の撮像素子から構成され、前記グリッドを透過した放射線を電気信号に変換するセンサと、
前記放射線発生手段及び前記グリッド移動手段及び前記センサを制御する制御手段とを備え、
前記制御手段は、前記撮影ボタンにより放射線の照射が要求されたときに基づき、前記放射線の発生を終了する時間、グリッドの移動速度の低減を開始する時間、前記複数の撮像素子に蓄積した電荷の読み出しを開始する時間を定めることを特徴とする撮影装置。
【請求項４】
前記制御手段は、前記撮影ボタンから放射線の照射を要求する信号が入力された時に基づき、前記放射線の発生を終了する時間、グリッドの移動速度の低減を開始する時間、前記複数の撮像素子に蓄積した電荷の読み出しを開始する時間を定めることを特徴とする請求項３記載の撮影装置。
【請求項５】
前記制御手段は、前記グリッドの移動駆動を停止させ、当該移動駆動の停止後に、前記撮像素子の蓄積電荷の読み出しを開始させることを特徴とする請求項３記載の撮影装置。
【請求項６】
前記制御手段は、前記複数の撮像素子に蓄積した電荷の読み出しの開始を、被写体に対する照射時間、及び前記グリッドの移動速度の少なくとも何れかに基づき予め決定することを特徴とする請求項３記載の撮影装置。
【請求項７】
前記グリッドの移動による前記撮像素子の振動状態を検出する振動検出手段を備え、
前記制御手段は、前記振動検出手段の検出結果に基づいて、前記撮像素子の蓄積電荷の読出開始の制御を行うことを特徴とする請求項３記載の撮影装置。
【請求項８】
被写体に対する照射は、放射線照射を含むことを特徴とする請求項６記載の撮影装置。
【請求項９】
被写体を透過した放射線を移動可能なグリッドを介して撮像素子で受光し、当該撮像素子の蓄積信号を撮影画像信号として読み出す撮影装置の撮影方法であって、
前記放射線の発生が要求されたことに基づき、撮像素子の蓄積電荷の読み出しを開始させることを特徴とする撮影方法。
【請求項１０】
前記放射線は、Ｘ線を含むことを特徴とする請求項９記載の撮影方法。
【手続補正２】
【補正対象書類名】明細書
【補正対象項目名】発明の名称
【補正方法】変更
【補正の内容】
【発明の名称】撮影装置及び撮影方法
【手続補正３】
【補正対象書類名】明細書
【補正対象項目名】０００１
【補正方法】変更
【補正の内容】
【０００１】
本発明は、例えば、グリッドを使用して対象物の放射線撮影を行う装置やシステムに用いられる、撮影装置及び撮影方法に関するものである。
【手続補正４】
【補正対象書類名】明細書
【補正対象項目名】００１９
【補正方法】変更
【補正の内容】
【００１９】
そこで、本発明は、上記の欠点を除去するために成されたもので、グリッド移動に起因する電磁ノイズ及び振動の影響による画質劣化を防ぐ構成により、医療診断等に対して最適な高画質の撮影画像を提供することを目的とする。
【手続補正５】
【補正対象書類名】明細書
【補正対象項目名】００２０
【補正方法】変更
【補正の内容】
【００２０】
斯かる目的下において、本発明は、放射線を発生する放射線発生手段と、前記放射線発生手段に対して放射線の照射を要求する撮影ボタンと、前記放射線に基づく散乱線の影響を減少するグリッドと、前記グリッドを移動するグリッド移動手段と、複数の撮像素子から構成され、前記グリッドを透過した放射線を電気信号に変換するセンサと、前記放射線発生手段及び前記グリッド移動手段及び前記センサを制御する制御手段とを備え、前記制御手段は、前記撮影ボタンにより放射線の発生が要求されたときに基づき、前記放射線の照射を開始する時間、前記グリッドの移動を開始する時間、前記複数の撮像素子における電荷蓄積を開始する時間を定めることを特徴とする。
【手続補正６】
【補正対象書類名】明細書
【補正対象項目名】００２１
【補正方法】変更
【補正の内容】
【００２１】
また、本発明は、放射線を発生する放射線発生手段と、前記放射線発生手段に対して放射線の照射を要求する撮影ボタンと、前記放射線に基づく散乱線の影響を減少するグリッドと、前記グリッドを移動するグリッド移動手段と、複数の撮像素子から構成され、前記グリッドを透過した放射線を電気信号に変換するセンサと、前記放射線発生手段及び前記グリッド移動手段及び前記センサを制御する制御手段とを備え、前記制御手段は、前記撮影ボタンにより放射線の照射が要求されたときに基づき、前記放射線の発生を終了する時間、グリッドの移動速度の低減を開始する時間、前記複数の撮像素子に蓄積した電荷の読み出しを開始する時間を定めることを特徴とする。
【手続補正７】
【補正対象書類名】明細書
【補正対象項目名】００２２
【補正方法】変更
【補正の内容】
【００２２】
また、本発明は、被写体を透過した放射線を移動可能なグリッドを介して撮像素子で受光し、当該撮像素子の蓄積信号を撮影画像信号として読み出す撮影装置の撮影方法であって、前記放射線の発生が要求されたことに基づき、撮像素子の蓄積電荷の読み出しを開始させることを特徴とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】